(57)【要約】    【課題】  振動パターンの追加ならびに更新を手軽に行えるベッド装置を提供すること。    【解決手段】  振動パターンを記憶可能な記憶媒体を内蔵したポータブルオーディオ４が着脱自在に設置されるヘッドボード２と、ポータブルオーディオ４で再生される振動パターンに応じて振動する脚枕７と、をベッド装置１が備える構成としたこと。【選択図】  図１
2007190322.tif 000002
【特許請求の範囲】
【請求項１】
ユーザに振動を与えるベッド装置であって、
振動パターンを記憶可能な記憶媒体を内蔵した携帯型記憶装置が着脱自在に設置される設置部と、
前記記憶媒体に記憶された前記振動パターンに応じて振動する振動体と、
を備えることを特徴とするベッド装置。
【請求項２】
ユーザに振動を与えるベッド装置であって、
振動パターンを記憶可能な記憶媒体を内蔵した携帯型音楽再生装置が着脱自在に設置される設置部と、
前記携帯型音楽再生装置で再生される前記振動パターンに応じて振動する振動体と、
を備えることを特徴とするベッド装置。
【請求項３】
前記振動体は、前記携帯型音楽再生装置で再生される音楽データに応じて振動することを特徴とする請求項２に記載のベッド装置。
【請求項４】
前記振動体は、脚枕であることを特徴とする請求項１乃至請求項３何れかに記載のベッド装置。
【発明の詳細な説明】
【技術分野】
【０００１】
本発明は、ベッド装置に関する。
【背景技術】
【０００２】
公知のベッド装置が後述の特許文献１に記載されている。このベッド装置は、ユーザ使用者に振動を付与する振動付与装置と、振動付与装置の作動を制御する制御部とを備えている。制御部には、複数の振動パターンが予め記憶されている。振動付与装置は、制御部に記憶された複数の振動パターンのうち使用者が選択した振動パターンに応じて作動し、使用者に振動を与える。制御部は、インターネット、イントラネット等に接続可能で、これらのネットワークにより、既存の振動パターンに対して、振動パターンを追加ならびに更新できる。
【特許文献１】特開２００５−２７０４０１号公報
【発明の開示】
【発明が解決しようとする課題】
【０００３】
上述のベッド装置においては、制御部に記憶された振動パターンを追加ならびに更新するには、制御部をネットワークに接続しなければならない。通例、ベッド装置が設置される場所は決まっていることが多い。このため、ベッド装置の設置場所がネットワークの接続場所から離れている場合には、振動パターンの追加ならびに更新を手軽に行えるとは言い難かった。
【０００４】
よって、本発明は上記の問題点に鑑みてなされたものであり、振動パターンの追加ならびに更新を手軽に行えるベッド装置を提供することを課題とする。
【課題を解決するための手段】
【０００５】
上記課題を解決するために、本発明にて講じた技術的手段は、請求項１に記載の様に、
振動パターンを記憶可能な記憶媒体を内蔵した携帯型記憶装置が着脱自在に設置される設置部と、前記記憶媒体に記憶された前記振動パターンに応じて振動する振動体と、をベッド装置が備える構成としたことである。
【０００６】
上記課題を解決するために、本発明にて講じた技術的手段は、請求項２に記載の様に、振動パターンを記憶可能な記憶媒体を内蔵した携帯型音楽再生装置が着脱自在に設置される設置部と、前記携帯型音楽再生装置で再生される前記振動パターンに応じて振動する振動体と、をベッド装置が備える構成としたことである。
【０００７】
好ましくは、請求項３に記載の様に、前記振動体は、前記携帯型音楽再生装置で再生される音楽データに応じて振動すると良い。
【０００８】
好ましくは、請求項４に記載の様に、前記振動体は、脚枕であると良い。
【発明の効果】
【０００９】
本発明によれば、設置部に着脱自在に設置される携帯型記憶装置若しくは携帯型音楽再生装置により、振動パターンが供給される。振動パターンを記憶した記憶媒体を内蔵する携帯型記憶装置や携帯型音楽再生装置は、ベッド装置の設置部に着脱自在に設置されるので、ユーザは、携帯型記憶装置や携帯型音楽再生装置をベッド装置の設置部から取り外した後、同装置をベッド装置の設置場所とは異なる別の場所に持っていった上で、記憶媒体に記憶された振動パターンを変更できる。つまり、振動パターンの追加ならびに更新を行うための場所は、ベッド装置の設置場所に依存しない。これにより、振動パターンの追加ならびに更新を手軽に行うことができる。
【発明を実施するための最良の形態】
【００１０】
以下、本発明を実施するための最良の形態を、図面を基に説明する。
【００１１】
図１は、本発明に係るベッド装置１の上面図、図２は、ベッド装置１の正面図である。ベッド装置１における長手方向（図１及び図２示左右方向）の各端部には、ヘッドボード２及びフットボード３が設けられている。ヘッドボード２には、ポータブルオーディオ４が着脱自在に設置されている。なお、ポータブルオーディオ４が設置される部位は、ヘッドボード２に限らず、例えば、フットボード３であっても良い。ポータブルオーディオ４は、ＨＤ（ハードディスク）、フラッシュメモリー等の記憶媒体を内蔵した公知のものである。ポータブルオーディオ４の記憶媒体には、振動パターンや、音楽データ等が記憶可能である。
【００１２】
フットボード３には、スピーカ・アンプ等から成るオーディオシステム５が設けられている。ベッド装置１において、ヘッドボード２とフットボード３との間には、マットレス６が設けられている。マットレス６の端部には、脚枕７が設けられている。脚枕７には、振動子が内蔵されている。脚枕７は、ポータブルオーディオ４と無線又は有線で接続されている。ポータブルオーディオ４から出力された信号は、脚枕７に入力される前に、オーディオシステム５のアンプ等によって増幅されても良い。脚枕７は、ポータブルオーディオ４にて再生される振動パターンや音楽データに応じて振動する。
【００１３】
本発明のベッド装置１においては、ユーザが入床後の段階に合わせて振動パターンを選択、供給可能となる。例えば、入眠に効果のある振動、覚醒させる振動、リラックスできる振動、マッサージ効果のある振動等の使い分けが可能となる。また、１つのステージにおいても、複数の振動パターンの組み合わせ、供給が可能となる。例えば、入床段階において、（１）マッサージ、（２）リラックス、（３）入眠、の順となる組み合わせを実現、供給できる。また、データ配信が可能となることにより、ユーザの年齢・生活習慣・嗜好性の変化等に合わせて、常にニーズにあった振動パターンの供給が可能となる。また、事前にユーザの状況を推定して複数のパターンを用意する、又は生理計測によりユーザの睡眠状態を計測・フィードバックする形で振動パターンやその組み合わせを提供することにより、実際寝ているという判断しづらい状況下でより最適な状況をユーザを煩わすことなく供給できる。また、センサー類を体につけなくても、より良い睡眠を供給できるようになる。実際に入眠段階においては、入床後ある一定時間振動を付与するだけで、充分に睡眠の質を改善できる効果があることが生理・心理評価両方にて証明されており、低コストにてより良い睡眠を得ることができる。また、好みの音楽を利用した振動を得ることも可能となり、寝室におけるリラクゼーションを演出可能となる。また、オーディオシステム５との組み合わせにより、振動と音楽が同時に配信可能となる。
【００１４】
以上説明した様に、本発明のベッド装置１によれば、ヘッドボード２に設置されるポータブルオーディオ４により、振動パターンが供給される。振動パターンを記憶可能な記憶媒体を内蔵したポータブルオーディオ４は、ベッド装置１のヘッドボード２に着脱自在に設置されるので、ユーザは、ポータブルオーディオ４をベッド装置１のヘッドボード２から取り外した後、同ポータブルオーディオ４をベッド装置１の設置場所とは異なる別の場所に持っていった上で、記憶媒体に記憶された振動パターンを変更できる。つまり、振動パターンの追加ならびに更新を行うための場所は、ベッド装置１の設置場所に依存しない。これにより、ユーザは、振動パターンの追加ならびに更新を手軽に行うことができる。
【００１５】
尚、ポータブルオーディオ４の代わりに、記憶媒体としてＨＤ（ハードディスク）を備えた周知のポータブルＨＤＤ（ハードディスクドライブ）等に代表される携帯型記憶装置を用いることもできる。この場合は、ベッドに内蔵された再生装置を介して携帯型記憶装置が記憶する振動パターンが、脚枕７に供給される。
【図面の簡単な説明】
【００１６】
【図１】本発明に係るベッド装置１の上面図。
【図２】ベッド装置１の正面図。
【符号の説明】
【００１７】
１  ベッド装置
２  ヘッドボード（設置部）
４  ポータブルオーディオ（携帯型音楽再生装置）
７  脚枕（振動体）
【図１】
2007190322.tif 000003
【図２】
2007190322.tif 000004